(57)【要約】【課題】記念になる音声は消去されることなく保存して随時再生できる一方、日常のメモ用や伝言用の実用品としても使用できる記念用置物を提供する。【解決手段】繰り返し録音及び再生可能な第１の録音手段４と、一旦録音された後は再生専用となる第２の録音手段５、とを備えた。これにより、第１の録音手段４をメモ用や伝言用の録音再生装置として日常の生活において使用することができ、第２の録音手段５を用いて特別な行事や思い出の記録を再生して楽しむことができる。【選択図】　　　　　　図１
0003100136.tif 000002
【実用新案登録請求の範囲】
【請求項１】
繰り返し録音及び再生可能な第１の録音手段と、一旦録音された後は再生専用となる第２の録音手段、とを備えたことを特徴とする記念用置物。
【請求項２】
第１の録音手段と第２の録音手段とが独立した録音再生ユニットでそれぞれ構成されている請求項１記載の記念用置物。
【請求項３】
第１の録音手段と第２の録音手段とが１個の録音再生ユニットで構成され、複数の録音チャンネルから所望のチャンネルを選択するための選択スイッチを備えている請求項１記載の記念用置物。
【請求項４】
写真立てに第１の録音手段と第２の録音手段とを設けた請求項１乃至３のいずれかに記載の記念用置物。
【請求項５】
盾に第１の録音手段と第２の録音手段とを設けた請求項１乃至３のいずれかに記載の記念用置物。
【請求項６】
トロフィーに第１の録音手段と第２の録音手段とを設けた請求項１乃至３のいずれかに記載の記念用置物。
【請求項７】
板状の本体と、この本体の前面に配置される透明な押さえ板とを備えており、押さえ板に設けた複数個の磁性片または磁石とこれに対応して本体に設けられた複数個の磁石または磁性片との間の吸引力で押さえ板を本体に吸着して固定することにより、押さえ板で写真、印刷物等の表示物を保持するように構成された請求項１乃至４のいずれかに記載の記念用置物。
【請求項８】
本体と、記念の内容が表現されていて前記本体の前面に配置される銘板とを備えており、銘板に設けた複数個の磁性片または磁石とこれに対応して本体に設けられた複数個の磁石との間の吸引力で銘板を本体に吸着して固定するように構成された請求項１、２、３、５、６のいずれかに記載の記念用置物。
【請求項９】
請求項８記載の記念用置物において、銘板に複数個の磁性片を設ける代わりに銘板全体を磁性体で構成してある記念用置物。
【請求項１０】
第１の録音手段の録音／再生操作部と第２の録音手段の再生専用操作部を本体の前面に配置した請求項１乃至９のいずれかに記載の記念用置物。
【考案の詳細な説明】
【０００１】
【考案の属する技術分野】
この考案は、録音再生機能を備えた記念用置物に関するものであり、この出願における記念用置物とは、記念になる写真を飾る写真立てや、各種行事において記念として授与される盾やトロフィーなど、記念品として飾ったり保管されたりする物品全般を意味している。
【０００２】
【従来の技術】
例えば実開平５−１６３９８号公報には、録音再生装置を備えた盾やトロフィーが開示されており、特開平８−１６４０４６号公報、特開平１１−３１８６５９号公報には、それぞれ録音再生装置を備えた写真立てが開示されている。しかし、これらは１個の録音再生装置を設けて録音や再生を適宜行うようにしたものである。
【０００３】
【考案が解決しようとする課題】
この考案はこの点に着目し、記念になる音声は消去されることなく保存して随時再生することができる一方、日常のメモ用や伝言用としての録音再生ができて実用品としても使用することのできる記念用置物を提供することを課題としてなされたものである。
【０００４】
【課題を解決するための手段】
上記の課題を達成するために、この考案の記念用置物は、繰り返し録音及び再生可能な第１の録音手段と、一旦録音された後は再生専用となる第２の録音手段、を備えている。この第１の録音手段と第２の録音手段とは独立した録音再生ユニットでそれぞれ構成してもよく、あるいは複数の録音チャンネルから所望のチャンネルを選択するための選択スイッチを備えた１個の録音再生ユニットで構成してもよい。
【０００５】
記念用置物が写真立ての場合には、板状の本体と、この本体の前面に配置される透明な押さえ板とを備えており、押さえ板に設けた複数個の磁性片または磁石とこれに対応して本体に設けられた複数個の磁石または磁性片との間の吸引力で押さえ板を本体に吸着して固定することにより、押さえ板で写真、印刷物等の表示物を保持するように構成することができる。
【０００６】
また記念用置物が盾やトロフィーの場合には、本体と、記念の内容が表現されていて前記本体の前面に配置される銘板とを備えており、銘板に設けた複数個の磁性片または磁石とこれに対応して本体に設けられた複数個の磁石または磁性片との間の吸引力で銘板を本体に吸着して固定するように構成することができる。この場合、銘板に複数個の磁性片を設ける代わりに銘板全体を磁性体で構成するようにしてもよい。
【０００７】
また記念用置物には、その本体の前面に第１の録音手段の録音／再生操作部と第２の録音手段の再生専用操作部が配置される。
【０００８】
【考案の実施の形態】
以下、図１及び図２によりこの考案を実施した写真立ての一例について説明する。図１及び図２は写真立ての前面及び背面の斜視図である。図において１は写真立て、２は板状の本体、３は本体２の前面に配置される押さえ板、４は第１の録音手段である録音ユニット、５は第２の録音手段である録音ユニットであり、押さえ板３はその一部を切除して示してある。
【０００９】
押さえ板３はガラスやアクリル樹脂等の透明な材料で構成されたもので、４隅の裏面には鉄製で小さい円盤状の磁性片３ａがそれぞれ埋め込み、接着あるいはかしめ等の適宜の手段によって取り付けられ、これに対応する本体２の前面にはそれぞれ円盤状の磁石３ｂが埋め込みその他の適宜の手段により取り付けられている。なお、磁性片３ａと磁石３ｂとは取り付け位置が逆であってもよい。６は写真、印刷物等の紙片あるいはこれに準ずる表示物であり、この表示物６を本体２と押さえ板３の間の所定位置に配置して磁性片３ａと磁石３ｂの位置を合わせると、磁性片３ａが磁石３ｂに吸着されて押さえ板３が本体２に固定され、表示物６は本体２と押さえ板３の間に挟着されるのである。磁性片３ａと磁石３ｂの端面は平面状となっており、通常の状態では十分な強度で吸着されていて表示物６は確実に保持されているが、押さえ板３をその面方向に移動させて磁性片３ａと磁石３ｂの位置を相互にずらすと吸着状態が解かれるから、表示物６の交換などのは容易に行うことができる。
【００１０】
録音ユニット４は本体２の前面下部にはめ込まれた状態で設けられている。このユニット４は通常の録音／再生が繰り返し可能な機能を備えたものであればよく、例えばマイク４ａ、録音スイッチ４ｂ、録音保持スイッチ４ｃ、再生スイッチ４ｄ、ＬＥＤを用いた録音状態表示灯４ｅ及び録音保持表示灯４ｆ等と、必要な制御回路を備えたものが用いられている。７ａは本体２に形成されたスピーカの放音部であり、その背面にはスピーカ（図示せず）が取り付けられている。このスピーカは第２の録音ユニット５と共用しており、本体２の背面下部に設けたユニットカバー２ａにも放音部７ｂが設けられている。２ｂは電池ケースであるが、スペースに余裕があれば電池もカバー２ａ内に収容することができるので、電池ケース２ｂは不要である。なお、通常は背面に設けられる支柱を図示してないが、カバー２ａはある程度の奥行きがあるので本体２を支える役割も兼ねることができ、背面の支柱を省略することもできる。
【００１１】
メッセージ等の録音の際には、録音保持スイッチ４ｃを操作しながら録音スイッチ４ｂを押してマイク４ａから音声を入力すればよく、その内容は内部のＬＳＩなどの半導体メモリに記録され、再生スイッチ４ｄを押すと再生音が放音部７ａ及び７ｂから出力される。すなわち、この第１の録音ユニット４は、メモ用や伝言用の録音再生装置として日常の生活において使用することができる。
【００１２】
録音ユニット５は一旦録音された後は再生専用となるように構成されているもので、ユニットカバー２ａにはめ込まれた状態で設けられている。この例では、第１の録音ユニット４と基本的には同じユニットを使用しており、ユニット４と同様にマイク５ａ、録音スイッチ５ｂ、再生スイッチ５ｄ、録音状態表示灯５ｅ、及び必要な制御回路を備えているが、録音保持スイッチ４ｃと録音保持表示灯４ｆに相当するものを無くし、録音保持スイッチ４ｃの部分を再生専用にするための設定部５ｇとしてある。この設定部５ｇは、例えば録音に必要な回路を構成するリード線５ｈをこの部分に引き出して露出させておき、録音後にこのリード線５ｈを切断することで録音機能を停止できるように構成される。
【００１３】
メッセージ等の録音の際には、録音スイッチ５ｂを押してマイク５ａから音声を入力した後、再生専用設定部５ｇのリード線を切断する。これによって録音内容は内部のＬＳＩのような半導体メモリに記録されて消去できなくなり、再生スイッチ５ｄを押すと再生音が放音部７ａ及び７ｂから出力される。また、図示のように本体２の前面には再生スイッチ５ｄと同じ機能の再生スイッチ８が設けてあり、これを押しても再生音が出力される。すなわち、スイッチ５ｄ及び８はこの考案における再生専用操作部である。第２の録音ユニット５はこのような使い方ができるので、例えば表示物６が何かの記念写真であれば、その写真にまつわる思い出などを録音しておくことにより、その内容をいつでも再生して楽しむことができ、誤って消去されてしまうこともない。特に再生スイッチ８は本体の前面に設けられていて操作が容易であるので、例えば「思い出のボタン」などの表示をしておけば、記念用置物としての特長が充分に発揮される。
【００１４】
次に、図３により行事の成績を表彰する盾などにこの考案を実施した例について説明する。１１は盾、１２は板状の本体、１３は本体１２の前面に配置される銘板、１４は第１の録音手段と第２の録音手段の両機能を備えた録音ユニットである。
【００１５】
銘板１３は金属、樹脂など適宜の材料で製作されたもので、表面には記念の内容を表す図形や文字などの表示部１３ｃを備えており、更に必要に応じて補助銘板１３ｄが取り付けられる。表示部１３ｃは平面的なものに限らず、レリーフのような立体的なものも含まれ、銘板１３と一体的に形成され、あるいは別に製作したものを平板状の銘板１３に取り付けることによって形成されている。銘板１３の４隅の裏面には磁性片１３ａがそれぞれ埋め込みあるいは接着によって固着され、これに対応する本体１２の前面にはそれぞれ磁石１３ｂが埋め込まれている。磁性片１３ａと磁石１３ｂの端面は平面状となっており、磁性片１３ａと磁石１３ｂの位置を合わせると、両者の吸着力で銘板１３は確実に本体１２に保持される。また銘板１３を面方向に移動させて磁性片１３ａと磁石１３ｂの位置を相互にずらすと、吸着状態が解かれて銘板１３は本体１２から離脱するので、銘板１３の交換が可能である。従って、本体１２を共通として複数種類の銘板１３を用意しておくことにより、内容の異なる各種の記念盾を構成することが可能となる。
【００１６】
録音ユニット１４は本体１２の前面下部にはめ込まれた状態で設けられたものであって、通常の録音／再生が繰り返し可能な機能を備えており、例えばマイク１４ａ、録音スイッチ１４ｂ、チャンネル選択スイッチ１４ｃ、再生スイッチ１４ｄ等と、必要な表示灯や制御回路を備えたものが用いられている。１７は本体１２に形成されたスピーカの放音部であり、その背面にはスピーカ（図示せず）が取り付けられている。また本体１２の前面には、再生スイッチ１４ｄとは別に再生スイッチ１８が設けてある。１２ａは本体１２の背面下部に設けられたユニットカバーである。
【００１７】
この録音ユニット１４は少なくとも二つのチャンネルに録音できるように構成されており、メッセージ等の録音の際には、チャンネル選択スイッチ１４ｃを操作してどのチャンネルに録音するかを選択し、同時に録音スイッチ１４ｂを押してマイク１４ａから音声を入力すればよく、その内容は内部のＬＳＩなどの半導体メモリに記録され、チャンネル選択スイッチ１４ｃでチャンネルを選択して再生スイッチ１４ｄを押すと、そのチャンネルに録音された内容が再生されて放音部１７ａから出力される。以上はこの考案の第１の録音手段の機能に相当するものであり、メモ用や伝言用の録音再生装置として日常の生活において使用することができる。
【００１８】
上記の選択スイッチ１４ｃで選択されるチャンネルのうち特定のチャンネル、例えば第１チャンネルは再生専用チャンネルとなっており、一旦録音した後は再録音ができないように構成されている。これはこの考案の第２の録音手段の機能に相当する。従って、第１チャンネルを選択して再生スイッチ１５ｄを押すと再生音が放音部１７から出力される。また、再生スイッチ１８は押せば直ちに再生専用のチャンネル、この場合には第１チャンネルの再生が行われるようになっており、これを押すだけでも再生音が出力される。このように、スイッチ１８はこの考案における再生専用操作部となっており、例えばある行事で優勝してこの盾１１を授与された時に、その時の感想やうれしい気持ちなどを録音しておけば、その内容をいつでも再生して楽しむことができ、誤って消去されてしまうこともない。特に再生スイッチ１８はこれを押すだけでよいので操作が容易であり、例えば「思い出のボタン」などの表示をしておけば、記念用置物としての特長が充分に発揮される。
【００１９】
図３は本体１２が平板状の盾１１の例についての説明であるが、この考案は本体が平板状でない盾やトロフィーなどにも適用でき、この場合には銘板１３の形状も本体の形状に適合したものとすればよい。また、銘板自体を鉄などの磁性体で製作してもよく、この場合には銘板側の磁性片１３ａは設ける必要がない。なお、第２の録音手段も回路的な操作などによって再び録音可能な状態にリセットできるが、このリセット操作は本願考案とは別の問題である。
【００２０】
【考案の効果】
以上の説明から明らかなように、この考案の記念用置物は、繰り返し録音及び再生可能な第１の録音手段と、一旦録音された後は再生専用となる第２の録音手段、とを備えたものであり、上記第１の録音手段をメモ用や伝言用の録音再生装置として日常の生活において使用することができ、第２の録音手段を特別な行事や思い出の記録を再生して楽しむことことに使用することができ、実用的で便利であると共に記念品としても有用な置物が得られる。
【００２１】
また、板状の本体と、この本体の前面に配置される透明な押さえ板とを備えており、押さえ板を磁石の吸引力で本体に吸着して固定することにより、押さえ板で写真、印刷物等の表示物を保持するようにしたものでは、表示物の交換が容易であり、必要に応じて表示物を入れ替えて楽しむことができる。
【００２２】
また、本体と、記念の内容が表現されている銘板とを備えており、銘板を磁石の吸引力で本体に吸着して固定するようにしたものでは、銘板の交換が可能であるから本体を共通として複数種類の銘板を用意しておくことにより、各種行事の記念品を安価に製作することができる。
【００２３】
また、第２の録音手段の再生専用操作部を本体の前面に配置したものでは再生操作が容易であり、記念品として楽しむことに適した置物を得ることができる。
【図面の簡単な説明】
【図１】この考案に係る写真立ての前面から見た斜視図である。
【図２】同上の写真立ての背面から見た斜視図である。
【図３】この考案に係る盾の前面から見た斜視図である。
【符号の説明】
１　写真立て
２　本体
３　押さえ板
３ａ　磁性片
３ｂ　磁石
４　録音ユニット（第１の録音手段）
５　録音ユニット（第２の録音手段）
６　表示物
８　再生スイッチ（再生専用操作部）
１１　盾
１２　本体
１３　銘板
１３ａ　磁性片
１３ｂ　磁石
１３ｃ　表示部
１４　録音ユニット（第１及び第２の録音手段）
１８　再生スイッチ（再生専用操作部）
【図１】
0003100136.tif 000003
【図２】
0003100136.tif 000004
【図３】
0003100136.tif 000005